【手続補正書】
【提出日】平成26年11月11日(2014.11.11)
【手続補正１】
【補正対象書類名】特許請求の範囲
【補正対象項目名】全文
【補正方法】変更
【補正の内容】
【特許請求の範囲】
【請求項１】
画像データに対して、該画像データの特性値を用いる第１の画像処理または該画像データの特性値を用いない第２の画像処理を選択的に行う画像処理手段と、
前記画像データに対して色空間変換処理を行う変換手段と、
前記第１の画像処理が選択された場合には前記色空間変換処理の前に該第１の画像処理を行い、前記第２の画像処理が選択された場合には該色空間変換処理の後に該第２の画像処理を行うように前記画像処理手段および前記変換手段を制御する制御手段と、を有することを特徴とする画像処理装置。
【請求項２】
前記画像データの特性値は、該画像データの色度値または輝度値であることを特徴とする請求項１に記載の画像処理装置。
【請求項３】
前記第１の画像処理は、前記画像データに対して非線形的な画像処理であることを特徴とする請求項１または２に記載の画像処理装置。
【請求項４】
前記第１の画像処理は、前記画像データの色度値及び輝度値の少なくとも１つの情報を取得する解析処理であることを特徴とする請求項１乃至３のいずれか１項に記載の画像処理装置。
【請求項５】
前記第２の画像処理は、前記画像データに対して線形的な画像処理であることを特徴とする請求項１乃至４のいずれか１項に記載の画像処理装置。
【請求項６】
前記第２の画像処理は、フィルタ処理であることを特徴とする請求項１乃至５のいずれか１項に記載の画像処理装置。
【請求項７】
前記第２の画像処理は、
前記画像データを縮小して縮小画像を生成し、
前記縮小画像を拡大して拡大画像を生成し、
前記画像データと前記拡大画像とを合成する、ことを特徴とする請求項１乃至６のいずれか１項に記載の画像処理装置。
【請求項８】
請求項１乃至７のいずれか１項に記載の画像処理装置と、
前記画像処理装置から出力された前記画像データを表示する表示手段と、を有することを特徴とする画像表示装置。
【請求項９】
請求項１乃至７のいずれか１項に記載の画像処理装置と、
前記画像処理装置から出力された前記画像データを印刷する印刷手段と、を有することを特徴とする印刷装置。
【請求項１０】
前記印刷手段が前記画像データに対してミニチュア印刷を行う場合、前記画像処理手段は前記第２の画像処理を行うことを特徴とする請求項９に記載の印刷装置。
【請求項１１】
画像データに対して、該画像データの特性値を用いる第１の画像処理または該画像データの特性値を用いない第２の画像処理を選択的に設定するステップと、
前記画像データに対して、選択された前記第１の画像処理または前記第２の画像処理を行うステップと、を情報処理装置に実行させる画像処理プログラムであって、
前記第１の画像処理が選択された場合には色空間変換処理の前に該第１の画像処理を行い、前記第２の画像処理が選択された場合には該色空間変換処理の後に該第２の画像処理を行う、ことを特徴とする画像処理プログラム。
【請求項１２】
前記画像データの特性値は、該画像データの色度値または輝度値であることを特徴とする請求項１１に記載の画像処理プログラム。
【請求項１３】
画像データに対して、該画像データにおける被写体の肌に対応する色を抽出する肌処理または前記画像データを前記画像データの中心領域から周囲に向けてぼかすミニチュア処理を選択的に行う画像処理手段と、
前記画像データに対して色空間変換処理を行う変換手段と、
前記肌処理が選択された場合には前記色空間変換処理の前に該肌処理を行い、前記ミニチュア処理が選択された場合には該色空間変換処理の後に該ミニチュア処理を行うように前記画像処理手段および前記変換手段を制御する制御手段と、を有することを特徴とする画像処理装置。
【手続補正２】
【補正対象書類名】明細書
【補正対象項目名】０００７
【補正方法】変更
【補正の内容】
【０００７】
本発明の一側面としての画像処理装置は、画像データに対して、該画像データの特性値を用いる第１の画像処理または該画像データの特性値を用いない第２の画像処理を選択的に行う画像処理手段と、前記画像データに対して色空間変換処理を行う変換手段と、前記第１の画像処理が選択された場合には前記色空間変換処理の前に該第１の画像処理を行い、前記第２の画像処理が選択された場合には該色空間変換処理の後に該第２の画像処理を行うように前記画像処理手段および前記変換手段を制御する制御手段とを有する。
【手続補正３】
【補正対象書類名】明細書
【補正対象項目名】００１０
【補正方法】変更
【補正の内容】
【００１０】
本発明の他の側面としての画像処理プログラムは、画像データに対して、該画像データの特性値を用いる第１の画像処理または該画像データの特性値を用いない第２の画像処理を選択的に設定するステップと、前記画像データに対して、選択された前記第１の画像処理または前記第２の画像処理を行うステップと、を情報処理装置に実行させる画像処理プログラムであって、前記第１の画像処理が選択された場合には前記色空間変換処理の前に該第１の画像処理を行い、前記第２の画像処理が選択された場合には該色空間変換処理の後に該第２の画像処理を行う。
【手続補正４】
【補正対象書類名】明細書
【補正対象項目名】００１９
【補正方法】変更
【補正の内容】
【００１９】
画像処理部１０５は、例えばＵＩ操作部１０９で設定された特殊効果に基づいて、第１の画像処理と第２の画像処理を選択的に行う。後述のように、システム制御部１０３は、第１の画像処理が選択された場合には色空間変換処理の前に第１の画像処理を行い、第２の画像処理が選択された場合には色空間変換処理の後に第２の画像処理を行うように画像処理部１０５を制御する。
【手続補正５】
【補正対象書類名】明細書
【補正対象項目名】００２５
【補正方法】変更
【補正の内容】
【００２５】
一方、フィルタ処理等、画像データの特性値を用いない線形的な種画像処理は、色空間変換処理を行った後に行っても、画質に実質的な影響を与えない。このように色空間変換処理を行った後に各種の画像処理（第２の画像処理）を行う制御方法が、図２（ｃ）のフローに示される第２の制御方法である。第２の制御方法は、後述の理由により、「ミニチュア印刷」等の高強度のフィルタ処理や拡大縮小処理の前に色空間変換処理を行うことで発生するトーンジャンプを低減することができる。
【手続補正６】
【補正対象書類名】明細書
【補正対象項目名】００３３
【補正方法】変更
【補正の内容】
【００３３】
図４（ａ）に示される画像データに対して強度の強いフィルタリング処理（例えばミニチュア処理）を行うと、空の青色の領域（図４（ｂ）中の点Ａ）と山の黄緑の領域（図４（ｂ）中の点Ｂ）の色が混ざった領域（図４（ｂ）の点Ｍ）が発生する。図４（ｃ）は、このときの点Ａ、Ｂ、Ｍそれぞれの色度座標上における点Ａ１、Ｂ１、Ｍ１を示している。図４（ｂ）中の点Ａから点Ｍ、点Ｂに至るまでの軌道Ｌの色度座標の変化を表しているのが図４（ｃ）に示される軌道Ｌ１である。また、このときの点Ａ１、Ｂ１、Ｍ１の色度値は、図４（ｇ）に示されるように、Ａ１（Ｌ，ａ＊，ｂ＊）＝（７５，−１４，１９）、Ｂ１（Ｌ，ａ＊，ｂ＊）＝（５５，−２，−３８）、Ｍ１（Ｌ，ａ＊，ｂ＊）＝（６５，−８，−１０）である。図４（ｃ）中の軌道Ｌ１からわかるように、点Ｍ１が点Ａ１と点Ｂ１の中間に存在しているため、点Ａ１から点Ｂ１に至るまで、色変化はなだらかでありトーンジャンプは発生しない。ここで、このような画像データに対して、空と山の彩度を強調する色空間変換処理を行うことを想定する。